(57)【要約】【課題】コンクリート打設後に回収する必要がなく、設置作業も容易なコンクリート流出防止具及びこれを用いた立ち上がりコンクリートの施工方法を提供する。【解決手段】コンクリート流出防止具は、立ち上がり配筋部と床配筋部とで形成される入隅コーナ部に、立ち上がり配筋部に沿って配設され、立ち上がり型枠内に打設されたコンクリートが入隅コーナ部側の立ち上がり型枠の下方から流出するのを防止するメッシュ板と、メッシュ板を保持する保持材と、床配筋部上に載置されて保持材を支持する脚部と、入隅コーナ部側の立ち上がり型枠と保持材との間に介在してメッシュ板の移動を規制するスペーサと、を備えたものである。また、立ち上がりコンクリートの施工方法は、入隅コーナ部に、立ち上がり配筋部に沿ってメッシュ板を配設した後、立ち上がり型枠を建て込み、該立ち上がり型枠内にコンクリートを打設するものである。【選択図】    図４
2004316204.tif 000002
【特許請求の範囲】
【請求項１】
立ち上がり配筋部と床配筋部とで形成される入隅コーナ部に、前記立ち上がり配筋部に沿って配設され、立ち上がり型枠内に打設されたコンクリートが前記入隅コーナ部側の前記立ち上がり型枠の下方から流出するのを防止するメッシュ板と、
前記メッシュ板を保持する保持材と、
前記床配筋部上に載置されて前記保持材を支持する脚部と、
前記入隅コーナ部側の前記立ち上がり型枠と前記保持材との間に介在してメッシュ板の移動を規制するスペーサと、
を備えたことを特徴とするコンクリート流出防止具。
【請求項２】
立ち上がり配筋部と床配筋部とで形成される入隅コーナ部に、前記立ち上がり配筋部に沿ってメッシュ板を配設した後、立ち上がり型枠を建て込み、該立ち上がり型枠内にコンクリートを打設することを特徴とする立ち上がりコンクリートの施工方法。
【請求項３】
請求項１のコンクリート流出防止具を前記立ち上がり配筋部に沿って配設することを特徴とする請求項２に記載の立ち上がりコンクリートの施工方法。
【発明の詳細な説明】
【０００１】
【発明の属する技術分野】
本発明は、例えば建築物のベランダや布基礎の立ち上がり部や陸屋根の周囲に設けられるパラペットの施工に用いられるコンクリート流出防止具及び立ち上がりコンクリートの施工方法に関する。
【０００２】
【従来の技術】
建築物のベランダ等をコンクリート施工する場合には、一般には床版コンクリートを打設して硬化した後、立ち上がりコンクリートを打設する工法が採用されているが、床版コンクリートと立ち上がりコンクリートとの間にコールドジョイントが発生し、地震によって立ち上がり部が床版からずれるなど安全面において問題があった。
【０００３】
そこで、床版コンクリートと立ち上がりコンクリートとを一体的に打設して床版と立ち上がり部との一体性を高める工法が採用されるようになっている。
【０００４】
かかる工法は、図９のように立ち上がり部にコンクリートＣを打設した後、該コンクリートＣが未だ硬まらないうちに床版部のコンクリートＣを打設するものであるが、以下のような問題があった。すなわち、立ち上がり型枠１００内に打設されたコンクリートＣは、図９のように立ち上がり型枠１００の下方から床版部分に向けて大量に流出してしまいコンクリートＣの骨材分離が生じる。また、流出したコンクリートＣが床版の所定コンクリート高さよりも高く盛り上がってしまうこともある。そして、コンクリートの流出に伴って立ち上がり型枠１００内にコンクリートＣを上から次々と補充する必要があるので、コンクリート打設の作業者の負担が大きくなり、コンクリートポンプ車が現場に留まる時間も長くなって施工能率が低下する。更に、立ち上がり部の高さが制限され、施工可能な建築物が限定される。なお、図中の符号１０１は既に施工された階下のベランダであり、１０２はサポーターである。
【０００５】
一方、床版コンクリート施工に用いられるくし歯状の脚部を有するコンクリートせき止め具１０３が既に提案されている（例えば、特許文献１参照）。
【０００６】
このコンクリートせき止め具１０３は、脚部を床配筋部の鉄筋間に挿入して型枠上まで降ろすことによりコンクリートＣをせき止めるものであり、図２の二点鎖線で示すようにコンクリートＣの流出箇所に配設すれば、コンクリートＣの流出をせき止めることができる。
【０００７】
しかし、かかるコンクリートせき止め具１０３を用いた場合には、コンクリートＣの打設後に該せき止め具１０３を回収する必要があり、また、コンクリートＣの圧力に耐えるために支持体を設けて該支持体にせき止め具１０３を固定しなければならず、設置作業が面倒になるという問題があった。
【０００８】
【特許文献１】
実開平６―７４７４４号公報（全頁、全図）
【０００９】
【発明が解決しようとする課題】
本発明は、コンクリート打設後に回収する必要がなく、設置作業も容易なコンクリート流出防止具及びこれを用いた立ち上がりコンクリートの施工方法を提供する。
【００１０】
【課題を解決するための手段】
本発明のコンクリート流出防止具は、立ち上がり配筋部と床配筋部とで形成される入隅コーナ部に、前記立ち上がり配筋部に沿って配設され、立ち上がり型枠内に打設されたコンクリートが前記入隅コーナ部側の前記立ち上がり型枠の下方から流出するのを防止するメッシュ板と、前記メッシュ板を保持する保持材と、前記床配筋部上に載置されて前記保持材を支持する脚部と、前記入隅コーナ部側の前記立ち上がり型枠と前記保持材との間に介在してメッシュ板の移動を規制するスペーサと、を備えたことを特徴とする。
【００１１】
本発明の立ち上がりコンクリートの施工方法は、立ち上がり配筋部と床配筋部とで形成される入隅コーナ部に、前記立ち上がり配筋部に沿ってメッシュ板を配設した後、立ち上がり型枠を建て込み、該立ち上がり型枠内にコンクリートを打設することを特徴とする。
【００１２】
また、この立ち上がりコンクリートの施工方法において、請求項１のコンクリート流出防止具を前記立ち上がり配筋部に沿って配設しても良い。
【００１３】
【発明の実施の形態】
以下、本発明の実施の形態を図面に基づいて説明する。
【００１４】
図１（ａ）はコンクリート流出防止具Ａの斜視図、（ｂ）は同流出防止具Ａの正面図、（ｃ）は同流出防止具Ａの拡大した側面図である。
【００１５】
コンクリート流出防止具Ａは、図１乃至図５に示すように立ち上がり配筋部Ｂ１と床配筋部Ｂ２とで形成される入隅コーナ部Ｂ３に配設されるメッシュ板１を備え、該メッシュ板１の前面側には保持フレーム（保持材の一例）２が溶接等で固定され、該保持フレーム２にはスペーサ３及び脚部４が設けられている。
【００１６】
メッシュ板１としては、金属板にスリットを設け、該スリットを拡げて網目を形成したものや、線材を網目状に編んだものや、金属板を網目状に打ち抜いたものなどが採用される。メッシュ板１はコンクリートＣの堰き止め効果があり、また、網目にコンクリートＣが入り込んでコンクリートＣとの一体性が高められるものである。
【００１７】
保持フレーム２は、横フレーム部材２１と縦フレーム部材２２とを溶接等で連結して形成され、横フレーム部材２１は上下に所定間隔を設けて配設され、縦フレーム部材２２は左右に所定間隔を設けて配設され、各縦フレーム部材２２の上部を前方に折り曲げてスペーサ３が形成され、縦フレーム部材２２の下部を後方に折り曲げて脚部４が形成されている。スペーサ３には型枠当接部３ａが取り付けられている。なお、横フレーム部材２１は一本のみ、或いは設けなくても良い場合もある。
【００１８】
脚部４は、コンクリート流出防止具Ａを床配筋部Ｂ２に安定した状態で載置できるものであれば、その構成は特に限定されるものではない。また、スペーサ３は、立ち上がり型枠Ｄ１を利用して該型枠Ｄ１内に確実に位置決めできるものであれば、その構成は特に限定されるものではない。
【００１９】
次に、コンクリート用流出防止金具Ａを用いたＲＣ造のベランダの施工方法について説明する。
【００２０】
まず、床型枠Ｄ２上に床配筋及び立ち上がり配筋を行った後、立ち上がり配筋部Ｂ１と床配筋部Ｂ２とで形成される入隅コーナ部Ｂ３に流出防止具Ａを配設する。
【００２１】
流出防止具Ａは、図２のように脚部４を床配筋部Ｂ２の上に載せ、立ち上がり配筋部Ｂ１の外側に沿ってメッシュ板１を位置させる。
【００２２】
次に、立ち上がり型枠Ｄ１を建て込む。このとき、図３のように立ち上がり型枠Ｄ１と保持フレーム２との間にスペーサ３が介在すると共にスペーサ３の型枠当接部３ａが立ち上がり型枠Ｄ１に当接するので、流出防止具Ａが転倒するのを防止でき、コンクリートＣの圧力に十分に耐えることができる。また、流出防止具Ａの転倒によりかぶり部がメッシュ板１によって塞がれるのを防止できるので、流出防止具ＡによってコンクリートＣの縁切りが生じない。
【００２３】
次に、コンクリートＣを立ち上がり型枠Ｄ１内にコンクリートＣを打設する。このとき、流出防止具Ａの存在により、立ち上がり型枠Ｄ１の下方から床配筋部Ｂ２にコンクリートＣが流出するのを防止できる。すなわち、図４のように打設されたコンクリートＣは、矢印のようにすべり面を滑って立ち上がり型枠Ｄ１の下方から流出しようとするコンクリートＣを立ち上がり型枠Ｄ１内の要所でせき止めることができるので、コンクリートを立ち上がり型枠の下方から流出する手前で効果的にせき止めることができる。
【００２４】
また、コンクリートＣの打設により、まず、床配筋部Ｂ２上に載置された脚部４が埋まるので流出防止具Ａの安定性がさらに増す。
【００２５】
なお、コンクリート打設時の流出防止具Ａの移動をなくすために、必要に応じて入隅コーナ部Ｂ３にセットされた流出防止具Ａを鉄筋に結束線等で結束するようにしても良い。
【００２６】
また、立ち上がり型枠Ｄ１内に打設されたコンクリートＣの流出に伴う立ち上がり型枠Ｄ１内へのコンクリートＣの補充作業が軽減される。
【００２７】
更に、流出防止具ＡはコンクリートＣに埋め込まれるものであるが、メッシュ板１の網目にコンクリートＣが入り込むので、流出防止具ＡによってコンクリートＣの一体性が損なわれることがない。
【００２８】
床版のコンクリートＣの打設は、立ち上がり部のコンクリートＣの打設が完了した後に行われる。なお、床版のコンクリートＣを先に打設したり、床版及び立ち上がり部のコンクリートＣを同時に打設する場合であっても、流出防止具ＡによってコンクリートＣの流出を防止できる。なお、図中の符号Ｅは床型枠Ｄ２のサポーターであって、既に施工された階下のベランダに立設されるものである。また、符号Ｆが型枠のセパレータである。
【００２９】
次に、他の施工方法を、図６乃至図８に基づいて説明する。この施工方法では、図６のようにメッシュ板１の正面側に保持材２Ａを溶接等で固定したコンクリート流出防止具Ａ１を用い、該流出防止具Ａ１は立ち上がり配筋部Ｂ１の鉄筋に結束線によって結束されるものである。
【００３０】
そして、図７のように流出防止具Ａ１を立ち上がり配筋部Ｂ１と床配筋部Ｂ２との入隅コーナ部Ｂ３に配設した後に、図８のように立ち上がり型枠Ｄ１を建て込んでコンクリートＣを打設する。
【００３１】
かかる流出防止具Ａ１を用いた施工方法であっても、コンクリートＣの流出を抑えることができる。その際、流出防止具Ａ１を強固に結束すれば、流出防止具Ａ１の転倒も防止できる。
【００３２】
【発明の効果】
本発明のコンクリート流出防止具及び立ち上がりコンクリートの施工方法によれば、立ち上がり配筋部と床配筋部とで形成される入隅コーナ部に、該立ち上がり配筋部に沿ってコンクリート流出防止具を配設するので、立ち上がり部のコンクリート中にコンクリート流出防止具を埋設することができ、回収作業が不要になる。しかも、コンクリートを立ち上がり型枠の下方から流出する手前でコンクリートをせき止めるので、コンクリートのせき止め効果が向上する。
【００３３】
また、コンクリート流出防止具の脚部を床配筋部の上に載せることによって配筋部に容易に位置させることができ、しかも、スペーサによって流出防止具が不用意に移動するのを防止できるので、簡単かつ安定した状態で型枠内に配設することができる。
【図面の簡単な説明】
【図１】（ａ）は本発明の実施形態に係るコンクリート流出防止具の斜視図、（ｂ）は同流出防止具の正面図、（ｃ）は同流出防止具の拡大した側面図である。
【図２】本発明の実施形態に係る立ち上がりコンクリートの施工工程を示す断面図である。
【図３】本発明の実施形態に係る立ち上がりコンクリートの施工工程を示す断面図である。
【図４】本発明の実施形態に係る立ち上がりコンクリートの施工工程を示す断面図である。
【図５】本発明の実施形態に係る立ち上がりコンクリートの施工工程を示す断面図である。
【図６】本発明の立ち上がりコンクリートの施工に用いられるコンクリート流出防止具の斜視図である。
【図７】本発明の他の実施形態に係る立ち上がりコンクリートの施工工程を示す断面図である。
【図８】本発明の他の実施形態に係る立ち上がりコンクリートの施工工程を示す断面図である。
【図９】従来の立ち上がりコンクリートの施工状態を示す断面図である。
【符号の説明】
Ａ      コンクリート流出防止具
Ｂ１    立ち上がり配筋部
Ｂ２    床配筋部
Ｂ３    入隅コーナ部
１      メッシュ板
２      保持フレーム（保持材）
３      スペーサ
４      脚部
【図１】
2004316204.tif 000003
【図２】
2004316204.tif 000004
【図３】
2004316204.tif 000005
【図４】
2004316204.tif 000006
【図５】
2004316204.tif 000007
【図６】
2004316204.tif 000008
【図７】
2004316204.tif 000009
【図８】
2004316204.tif 000010
【図９】
2004316204.tif 000011